(57)【要約】      （修正有）【課題】ＩＣタグに係る名称および住所表示器においての、名称および住所の読み取りはＩＣ読み取り機によって読み取る手段であるが、読み取り装置がなくても可視確認可能な装置を提供する。【解決手段】開閉自在にする目的で上蓋７の再剥離粘着剤層４にＩＣタグラベル２と宛名ラベル３ａおよび宛名ラベル３ｂを併合して貼付後、上蓋７を被覆し、人目にふれない被覆表示をする。【選択図】図２
0003112078.tif 000002
【実用新案登録請求の範囲】
【請求項１】
本考案は略四角形の弾性を有する基材５の表面全体に再剥離粘着剤を塗布し、再剥離粘着剤層４を形成してなる蓋板８の再剥離粘着剤層４を枠状に構成するため、当該枠内に名称および住所のデータを入力したＩＣチップ１搭載のＩＣタグラベル２を貼付した周辺に補助読み取り機能を有する母国語表示の宛名ラベル３ａおよび外国語表示の宛名ラベル３ｂを貼付後、略四角形の弾性を有する開閉自在にした不透明構造の上蓋７を蓋板８に被覆してなるＩＣタグに係る補助読み取り用、被覆表示の名称および住所表示器を被着体１０に装着するため、基材５の裏面全体に粘着剤を塗布し、粘着剤層６を形成してなる蓋板８の裏面の粘着剤層６に添着した剥離紙９をはがし、被着体１０に装着する補助読み取り機能を有する、積層一体型構造を特徴とするＩＣタグに係る補助読み取り用、被覆表示の名称および住所表示器。
【請求項２】
請求項１記載のＩＣタグに係る補助読み取り用、被覆表示の名称および住所表示器おいて、ＩＣタグラベル２のデータをＩＣタグ読み取り機で読み取る手段はあるが、名称おとび住所を印字または記載した補助読み取り機能を有する宛名ラベル３ａ、３ｂをＩＣタグラベル２と組み合わせて表示する複合表示においては、被覆表示することにより、安全と安心を保護し、ＩＣタグラベル２には名称および住所に係るデータが大量に搭載されているが、プライバシー保護措置を図る目的とした、プライバシー侵害に抵触しない内容の、名称および住所を宛名ラベル３ａ、３ｂに印字または記載して表示することでプライバシー流出の防止効果を奏する。
本考案はＩＣタグ読み取り機がなくても、ＩＣタグラベル２と補助読み取り機能を有する宛名ラベル３ａ、３ｂを組み合わせて複合表示するもので、名称および住所を可視確認後に、当該枠状の再剥離粘着剤層４の蓋板８に上蓋７を接合して被覆表示することにより、表面表示の人目につく嫌悪感が除去され、ＩＣタグラベル２のデータ読み取り補助を図る目的で衣料、日用品など多様な被着体１０に応じて装着表示するもので、宛名ラベル３ａ、３ｂをＩＣタグラベル２と、組み合わせて表示する複合表示を特徴とするＩＣタグに係る補助読み取り用、被覆表示の名称および住所表示器。
【考案の詳細な説明】
【技術分野】
【０００１】  本考案のＩＣタグに係る補助読み取り用、被覆表示の名称および住所表示器においては読み取り機がなくても宛名ラベルによる可視方式ではあるが装着表示を基本としているので、ＩＣタグに使用される伝送方式として、印刷物であるバーコードや２次元シンボルのような光学的読取りでないため、電磁結合方式、電磁誘導方式はＩＣタグとリーダ／ライタの間に、金属以外である水、油、紙、プラスチック、木材などであれば何があっても交信できるという通信を行う場所で必要な情報を取り出すことが容易にできるが読み取るには読み取り機が必要である。【０００２】  読み取り機がなくてもプライバイシーに抵触しない内容の名称、住所および電話番号を容易に可視読み取りが可能な、補助読み取り機能を有する宛名ラベル３ａおよび宛名ラベル３ｂをＩＣタグラベル２と組み合わせて複合表示することにより、開閉自在にした上蓋７を開閉するだけで可視読み取りが可能になる。【０００３】  読み取り後には蓋板８の当該枠状の再剥離粘着層４に上蓋７を接合し被覆して表示する。
【背景技術】
【０００４】  自動認識システムとしてバーコードや二次元シンボル、文字認識、磁気カード、ＩＣカード、指紋などの生体的な特徴による認識の技術があり、さまざまな目的で実用化されているが個々の物質が何かを入手するには各々の読み取り機が必要である。【０００５】  従来の表面表示の名称および住所の装着表示は、表記してなる表示、紙片または布製小切に表記装着してなる表記、布にししゅうしてなる表記並びに合成樹脂テープに構成してなる表記方法が知られている。【０００６】  上記に述べた各種の名称および住所表示は、表面表示のため、表示してなる嫌悪感、表示してなる外観の損傷、表示してなる被害意識ならびに抵抗があり、名称および住所の表示意欲を阻害していた。【０００７】  従来の被覆表示の名称および住所表示器は、粘着シートを積層体構造にした宛名ラベルを被覆してなる表示器、布製ファスナーフックと布製ファスナーループの間に内蔵した宛名ラベルを積層体構造にしてなる被覆表示器などがある。
【考案の開示】
【考案が解決しようとする課題】
【０００８】  背景技術で申し述べた本考案にかかわる、日用品、衣料品などに装着して表示した所有者の識別を読み取るため、従来、光学的読み取りに代表されるバーコードや二次元シンボルは、表面表示のため、日用品、衣料品などに装着して表示してなる抵抗などで表示意欲がなく紛失の増大に拍車をかけ、さらに、プライバシー保護措置がなされず表示意欲を阻害していた。【０００９】  光学的読み取りに代表されるバーコードや二次元シンボルは汚れやしわに弱く、重なり合っていると読み取れない弱点と読み取り率は８０％から９０％である。
さらに、バーコードや二次元シンボルに代表されるデータキャリア作成は印刷物のため偽造、模倣品が多く模造防止する手段がなかった。【００１０】  データキャリアを読み取るには、ＩＣタグ読み取り機による読み取りであるが、一般の読み取りについてはＩＣタグ読み取り機がなくて装着したＩＣタグラベルの機能を発揮していなかった。
【課題が解決するための手段】
【００１１】  上記目的を達成するために、本考案のＩＣタグに係る補助読み取り用、被覆表示の名称および住所表示器において装着表示を特徴とするＩＣタグラベル２を読み取るＩＣタグ読み取り機がなくても上蓋７を開閉することにより補助読み取り機能を有する宛名ラベル３ａおよび宛名ラベル３ｂのデータは母国語と外国語による複合表示は万人がデータキャリアの可視確認を容易にすることを特徴とするＩＣタグに係る補助読み取り用、被覆表示の名称および住所表示器を提供する。
【００１２】  本考案は電子機器であるＩＣタグラベル２の周辺に補助読み取り機能を有する宛名ラベル３ａおよび宛名ラベル３ｂを複合表示し被覆して装着表示するものでプライバシー保護措置を図るにはプライバシーに抵触しない内容の名称、住所および電話番号を記載または印字して表示する補助読み取り装置機能を有する宛名ラベル３ａおよび宛名ラベル３ｂを合せてＩＣタグラベル２と複合表示することにより読み取り機がなくても上蓋７を開閉するだけでデータの可視読み取りを容易にする。
【００１３】  読み取り後には、上蓋７を蓋板８に接合し被覆表示するため、人目につかず嫌悪感からの開放、装着時の景観の向上などで表示意欲の向上により、紛失物の減少につながることを特徴とするＩＣタグに係る補助読み取り用、被覆表示の名称および住所表示器を提供する。
【考案の効果】
【００１４】  データキャリアが搭載したＩＣタグラベルを装着する対象業務である製造、物流、販売の全ての業態で、読み取りが容易で大量の情報を入力できるため、商品管理が大幅に効率化できる。
【００１５】  ＩＣタグは真贋の見分けと識別を解明するためのデータキャリアを搭載している利点を備えているが、読み取るためには読み取り機が必要であり、ＩＣタグラベル２と複合表示する補助読み取り機能を有する宛名ラベル３ａ、３ｂは母国語および外国語表示のため、最終消費者の取得した商品に装着した本考案のＩＣタグに係る補助読み取り用、被覆表示の名称及び住所表示器において、読み取り機がなくても上蓋７を開閉するだけで容易に可視識別が可能になる。
【００１６】  ＩＣタグは、印刷物であるバーコードや２次元シンボルと比べてデータキャリアの搭載が大量に入力可能なため、製造、物流、販売のすべての業態において、補足読み取りを促す本考案のＩＣタグに係る補助読み取り用、被覆表示の名称及び住所表器は物のライフサイクル全体を管理するシステムに寄与する。
【考案を実施するための最良の形態】
【００１７】  本考案によるＩＣタグに係る補助読み取り用、被覆表示の名称及び住所表器の実施の形態を図に従って説明する。
図面は模式的なものであり、現実のものとは異なることを留意すべきである。【００１８】  図１は、本考案の実施の形態に係るＩＣタグに係る補助読み取り用、被覆表示の名称および住所表示器の開閉状態を示す上面方向からの平面図である。
本考案の実施の形態に係るＩＣタグに係る補助読み取り用、被覆表示の名称および住所表示器においてはＩＣタグラベル２の周辺の左右に宛名ラベル３ａおよび宛名ラベル３ｂの貼付状態を示しているが、ラベル状の名称、住所をＩＣチップに搭載してなるＩＣタグラベル２の材質と宛名ラベル材質を同一に構成することにより、宛名ラベルの剥離防止になり、長期の保存が確立する。【００１９】  次に、本考案に係る材料について説明する。
ＩＣタグラベル２に使用するものは、紙、ＰＥＴ、ポリプロピレン、ポリエチレン、ポリスチレン、ナイロン等各種材料を使用し、紙の場合は、耐水処理等が施され絶縁性の高いものが好ましい。【００２０】  厚みは１５〜３００μｍが使用できるが、強度、加工作業性、コスト等の点から２０〜１００μｍがより好ましい。【００２１】  上蓋７の材料としては、上述したＩＣタグラベル２の材料から選定し、弾性を有する不透明な加工をして使用するが、宛名ラベル３ａおよび宛名ラベル３ｂに記載または印字した文字保護措置を図るため宛名ラベルと接合する上蓋７の裏面全面に、記載または印字した文字の滲みや染み防止を図る加工をする。【００２２】  基材２の材料としては、被着体１０が凹凸面でも貼付装着に対応可能な弾性を有する材料とし、さらに、粘着剤層６と再剥離粘着剤層４を形成できるＰＥＴ、耐水処理等が施された紙などが好ましい。【００２３】  宛名ラベルに使用する材料はＰＥＴ、耐水処理等が施された紙などが好ましいが印字、記載字が滲みによる染みなど文字損傷の除去を図る印字、記載字の保護を有する材質が好ましい。【００２４】  また、インクジェット印刷の場合のインクジェットインクは印字する名称、住所および電話番号の印字に滲みによる染みなどの損傷保護措置を図るために、滲みによる染み防止可能な油性などの、耐水性のインクが好ましい。【００２５】  名称、住所および電話番号の記載文字についても記載文字の滲みによる染みなどの損傷保護措置を施した油性インク使用のペンが好ましい。【００２６】  上述の宛名ラベルに印字または記載文字の滲みや染みなどの防止を図るには名称、住所および電話番号を印字または記載した宛名ラベル３ａ、３ｂを貼付後、宛名ラベル３ａ、３ｂおよびＩＣチップ１を装着した蓋板８に上蓋７を被覆して表示する結果として生じる、滲みによる染みなどの文字損傷保護措置を図るために、略四角形の透明なポリプロピレンやドライアミネートなどで積層して被覆することで文字保護を図ることが出来る。
【実施例】
【００２７】  以下、本考案の実施例を図面に基づき具体的に説明する。【００２８】  図１は本考案の実施例を示す図１の（Ａ）は、宛名ラベル３ａ、３ｂおよびＩＣチップ１を貼付した開閉状態を示す平面図を示しているが、宛名ラベル３ａ、３ｂおよびＩＣチップ１はおのおの単一で貼付状態で構成しているが、ＩＣチップ１を埋め込み可能な材料であるＰＥＴおよび紙を使用し、併せて宛名ラベル３ａ、３ｂと一体化し一枚にして表示するＰＥＴおよび紙を利用して貼付およびインクジェット印刷などに利便性を図ることを目的に構成してもよい。【００２９】  図１の（Ｂ）は本考案の断面図である。ＩＣチップ１は中央に貼付設定し、宛名ラベル３ａ、３ｂは左右に貼付設定しているが、貼付位置は固定しなくてもよい。【００３０】  図２は本考案の実施形態にける開閉状態と装着状態を示す斜視図である。【００３１】  図３は蓋板８の表面に構成した再剥離粘着剤層４に宛名ラベル３ａ、３ｂおよびＩＣチップ１を貼付した状態を示す拡大平面図である。
加工、貼付ならびにインクジェット印字に利便性を設けるため、宛名ラベルとＩＣチップ埋め込みを一体化するためＰＥＴおよび紙を利用することが好ましい。
【産業上の利用可能性】
【００３２】  航空貨物について、従来、搭乗手続き後の手荷物の行き先別の仕分けはバーコードで管理していたが、汚れやしわに弱く、重なり合っていると読み取れず、読み取り率の低下があり作業効率の課題があった。【００３３】  ＩＣタグを手荷物に装着することにより、手荷物の出発時点、経由地点、到着地点など、手荷物の物理的な移動のリアルタイム管理が可能になる。【００３４】  上述したＩＣタグのデータを読み取るには読み取り機が必要であるが、本考案のＩＣタグに係る補助読み取り用、被覆表示の名称および住所表示器をスーツケースに装着することにより、空港の手荷物受取所で出発時に預けたスーツケースが到着した時点でスーツケースの受取時に所有者確認をする場合、読み取り機がなくても上蓋７を開閉するだけで所有者の可視確認が迅速に行われ、読み取りが容易になると同時に、手荷物の仕分けが確実かつ迅速になり、誤配送が皆無になる。【００３５】  放置自転車について、所有者の表記と表示器の装着率が低く、管理や取り締まりに弊害をもたらし、放置駐輪は街の景観を損ない、交通妨害、交通事故の多発など社会問題化しているが、本考案のＩＣタグに係る補助読み取り用、被覆表示の名称および住所表示器を自転車に装着することにより、管理、取り締まり並びに地域の景観の向上、弱者の交通事故の削減などに寄与し、放置駐輪の問題が解決される。【００３６】  日用品に代表されるカバン類について、ハンドバッグ、小物入れの財布などは所有者の表示率が極端に低いため、紛失率が多いなどの課題があったが人目にふれないで表示する本考案のＩＣタグに係る補助読み取り用、被覆表示の名称及び住所表示器を装着することで解決され、装着意欲が向上する。【００３７】  ブランド品について、偽ブランド品や海賊版など真贋見分けについては、一般消費者は確認する方法がなく泣き寝入り状態であった。
本考案のＩＣタグに係る補助読み取り用、被覆表示の名称および住所表示器を装着することにより、データの可視読み取りが容易になり、真贋の可視識別が可能になり装着意欲の向上と紛失率が低下する。【００３８】  携帯電話について、携帯電話の普及拡大に伴い紛失率が増大し、紛失物処理においては自治体の処理負担増を生じ、高機密の個人情報が大量にデータ入力可能な高機能の機種は情報漏れ防止の機能を設けているため、起動させるには所有者個人でないと起動しない機種が普及し、紛失したときは拾得者による所有者確認が不可能になり、ますます紛失率が増大する。
本考案のＩＣタグに係る補助読み取り用、被覆表示の名称および住所表示器の装着することにより、上述した問題が解決すると同時に装着普及につながる。【００３９】  従来、所有者の名称および住所の表示器の装着を必要としていた商品が、人目にさらす表面表示のため表示することの抵抗が強く表示率が低下し、盗難、紛失、管理などの問題点を有していた。【００４０】  上述の課題を解決するため被覆表示して解決する本考案のＩＣタグに係る補助読み取り用、被覆表示の名称および住所表示器の装着意欲が向上することにより普及が進む。
【図面の簡単な説明】
【００４１】
【図１】  （Ａ）は本考案の開閉状態を示す平面図である。（Ｂ）は本考案の断面図である。
【図２】  本考案の実施形態における開閉状態と装着状態を示す斜視図である。
【図３】  本考案に係る再剥離粘着剤層に２種類の宛名ラベル並びにＩＣタグラベルを貼付した状態を示す平面拡大図である。
【符号の説明】
【００４２】１    ＩＣチップ
２    ＩＣタグラベル
３ａ  母国語表示の宛名ラベル
３ｂ  外国語表示の宛名ラベル
４    再剥離粘着剤層
５    基材
６    粘着剤層
７    上蓋
８    蓋板
９    剥離紙
１０  被着体
【図１】
0003112078.tif 000003
【図２】
0003112078.tif 000004
【図３】
0003112078.tif 000005
【手続補正書】
【提出日】平成17年3月23日(2005.3.23)
【手続補正１】
【補正対象書類名】実用新案登録請求の範囲
【補正対象項目名】全文
【補正方法】変更
【補正の内容】
【実用新案登録請求の範囲】
【請求項１】
本考案は略四角形の弾性を有する基材５の表面全体に再剥離粘着剤を塗布し、再剥離粘着剤層４を形成してなる蓋板８の再剥離粘着剤層４を枠状に構成するため、当該枠内に名称および住所のデータを入力したＩＣチップ１搭載のＩＣタグラベル２を貼付した周辺に補助読み取り機能を有する母国語表示の宛名ラベル３ａおよび外国語表示の宛名ラベル３ｂを貼付後、略四角形の弾性を有する開閉自在にした不透明構造の上蓋７を蓋板８に被覆してなるＩＣタグに係る補助読み取り用、被覆表示の名称および住所表示器を被着体１０に装着するため、基材５の裏面全体に粘着剤を塗布し、粘着剤層６を形成してなる蓋板８の裏面の粘着剤層６に添着した剥離紙９をはがし、被着体１０に装着する補助読み取り機能を有する、積層一体型構造を特徴とするＩＣタグに係る補助読み取り用、被覆表示の名称および住所表示器。